(57)【要約】【課題】  より合理的に構成された立体の向き検出装置を提供すること。【解決手段】  立体１１０の内部に設けられた傾斜センサ１２０及びＩＣタグ１３０と、ＩＣタグと非接触電力伝送方式にて通信をするアンテナ１４０とを備え、アンテナがＩＣタグに電磁波を照射すると、ＩＣタグが誘導起電力を発生し、この誘導起電力により、傾斜センサが立体の傾斜を検出するとともにＩＣタグが当該検出情報をアンテナへ送信し、アンテナが受信した情報から立体の上下方向に対する向きを検出する構成の立体の向き検出装置である。【選択図】図２
2005275554.tif 000002
【特許請求の範囲】
【請求項１】
立体の内部に設けられた傾斜センサ及びＩＣタグと、前記ＩＣタグと非接触電力伝送方式にて通信をするアンテナとを備え、
前記アンテナが前記ＩＣタグに電磁波を照射すると、前記ＩＣタグが誘導起電力を発生し、
前記誘導起電力により、前記傾斜センサが前記立体の傾斜を検出するとともに前記ＩＣタグが当該検出情報を前記アンテナへ送信し、
前記アンテナが受信した情報から前記立体の上下方向に対する向きを検出することを特徴とする立体の向き検出装置。
【請求項２】
請求項１記載の立体の向き検出装置を備えるとともに、複数の出力パターンを出力可能に設定してなる出力装置であって、
前記検出装置にて検出された前記立体の向きに応じて、前記複数の出力パターンのなかから実際に出力する出力パターンを決定することを特徴とする出力装置。
【発明の詳細な説明】
【技術分野】
【０００１】
本発明は、立体の上下方向に対する向きを検出する装置に関する。
【背景技術】
【０００２】
一般に、ＩＣタグを利用してなる非接触式のセンサ装置が知られている。この種のセンサ装置は、例えば特許文献１及び２にも開示されている。
【０００３】
さて、立体の上下方向に対する向きを検出する装置としては、立体の要所にあらかじめ異なるデータを記憶させたＩＣタグをそれぞれ設け、アンテナがＩＣタグから受信したデータにより、その向きを検出する構成が知られている。特許文献３及び６には、かかる構成によって出目を検出するサイコロ装置が開示されている。しかしながら、このようなサイコロ装置においては、アンテナが複数のＩＣタグのデータを受信してしまうことにより、出目の正確な検出が困難となる場合があった。また、サイコロの各面に対応するようにＩＣタグを設けるため、サイコロの単価が高くなるという問題もあった。
【０００４】
一方、特許文献７には、出目を検知する検知手段と、検知した出目を送信する送信手段とをサイコロに設けてなるサイコロ装置が開示されている。サイコロには、検知手段及び送信手段の電源となるバッテリが設けられ、更にはバッテリを充電する発電手段が設けられている。すなわち電源確保のためにバッテリや発電手段をサイコロに搭載するため、やはりサイコロの単価が高くなるという問題があった。サイコロを小型化する点でも不利である。特に同特許文献の場合、アンテナが照射する電波にてそのバッテリを充電する構成は示唆されているものの、バッテリを省略するための技術的思想は無い。
【特許文献１】特開２００１−２９１１８１号公報
【特許文献２】特開２００２−５２９８３３号公報
【特許文献３】特開平５−１７７０５６号公報
【特許文献４】特開平９−５３９０８号公報
【特許文献５】特開平９−１６４２６７号公報
【特許文献６】特開２００２−３２０７６３号公報
【特許文献７】特開２００３−３３５６１号公報
【発明の開示】
【発明が解決しようとする課題】
【０００５】
本発明は、上記背景技術に鑑みてなされたものであり、その目的は、より合理的に構成された立体の向き検出装置を得ることである。
【課題を解決するための手段】
【０００６】
本願第１請求項に記載した発明は、立体の内部に設けられた傾斜センサ及びＩＣタグと、前記ＩＣタグと非接触電力伝送方式にて通信をするアンテナとを備え、
【０００７】
前記アンテナが前記ＩＣタグに電磁波を照射すると、前記ＩＣタグが誘導起電力を発生し、前記誘導起電力により、前記傾斜センサが前記立体の傾斜を検出するとともに前記ＩＣタグが当該検出情報を前記アンテナへ送信し、前記アンテナが受信した情報から前記立体の上下方向に対する向きを検出する構成の立体の向き検出装置である。立体には、傾斜センサ及びＩＣタグの電源としてバッテリを設ける必要はない。
【０００８】
本願第２請求項に記載した発明は、請求項１記載の立体の向き検出装置を備えるとともに、複数の出力パターンを出力可能に設定してなる出力装置であって、前記検出装置にて検出された前記立体の向きに応じて、前記複数の出力パターンのなかから実際に出力する出力パターンを決定する構成の出力装置である。
【発明の効果】
【０００９】
本発明によれば、より合理的に構成された立体の向き検出装置を得ることができる。
【発明を実施するための最良の形態】
【００１０】
以下に、本発明の実施例を図面に基づいて詳細に説明する。図１及び図２に示す本例の出力装置は、予定時刻になると所定の目覚し信号を出力する目覚し時計１である。かかる目覚し時計１は、これを制御する制御部２０と、時刻を計時する計時手段３０と、予定時刻を設定するための予定時刻設定手段４０と、目覚し信号たる報知音を発生するスピーカ５０と、目覚し信号のＯＮ／ＯＦＦを切替える鳴止めスイッチ６０と、立体の向き検出装置１００とを備えている。制御部２０は、所要のプログラムを格納したマイコンである。計時手段３０は、時計ケースたる筐体１０の正面に設けられた時刻表示部１１において指針３１を駆動する構成となっている。予定時刻設定手段４０は、不図示のツマミにて時刻表示部１１に設けられた目安針４１を動かすことにより、予定時刻を設定する構成となっている。
【００１１】
時計装置１の出力たる目覚し信号としては、複数の出力パターンが出力可能に設定されている。具体的には、制御部２０に複数のメロディーを記憶し、それらのメロディーをスピーカ５０からそれぞれ発生させる。各メロディーは、便宜的にそれぞれ報知音Ａ、報知音Ｂ、報知音Ｃ、報知音Ｄとする。そして、時計装置１は、検出装置１００にて検出された立体１１０の向きに応じて、複数の出力パターンのなかから実際に出力する出力パターンを決定する。つまり、立体１１０の向きを変えることにより、予定時刻に発生する報知音が変更される構成となっている。
【００１２】
立体の向き検出装置１００は、立体１１０の内部に設けられた傾斜センサ１２０及びＩＣタグ１３０と、ＩＣタグ１３０と非接触電力伝送方式にて通信をするアンテナ１４０とを備えている。筐体１０の上部には、立体１１０を嵌め込む凹部１２が設けられており、アンテナ１４０は、凹部１２の底に設けられている。
【００１３】
本例の立体１１０は、中空状の四角柱である。立体１１０の各側面には、図３に示すように、報知音Ａ乃至報知音Ｄをそれぞれ表す文字又は絵柄が設けられている。
【００１４】
ＩＣタグ１３０は、図４に示すように、ＩＣチップ１３１と小型アンテナ１３２とを組み合わせてなるものである。これは一般に、ＲＦＩＤタグと称されるものである。前述したアンテナ１４０がＩＣタグ１３０に電磁波を照射すると、ＩＣタグ１３０の小型アンテナ１３２が誘導起電力（つまり電磁誘導の原理による電力）を発生する。誘導起電力が発生すると、その誘導起電力により、傾斜センサ１２０が立体１１０の傾斜を検出するとともにＩＣタグ１３０が当該検出情報をアンテナ１４０へ送信する。すると制御部２０は、アンテナ１４０が受信した情報から立体１１０の上下方向に対する向きを検出し、立体１１０の向きに応じて予定時刻に発生する報知音を決定する。予定時刻になると、その時上を向いている面に表示された報知音が発生する構成となっている。尚、立体１１０には傾斜センサ１２０及びＩＣタグ１３０の電源となるバッテリは設けられていない。
【００１５】
図５には、制御部２０による制御の一例を示す。先ず、計時手段３０の時刻が予定時刻設定手段４０にて設定された予定時刻になると（Ｓ１）、鳴止めスイッチ６０のＯＮ／ＯＦＦ状態を確認する（Ｓ２）。ここで、鳴止めスイッチ６０がＯＮの場合は、立体の向き検出装置１００にて立体１１０の向きを検出する（Ｓ３）。そして、その時上を向いている面が報知音Ａを表示している場合は（Ｓ４）、報知音Ａを発生する（Ｓ５）。また同様に、報知音Ｂの場合は報知音Ｂ、報知音Ｃの場合は報知音Ｃ、報知音Ｄの場合は報知音Ｄを発生する（Ｓ６〜Ｓ１１）。尚、立体１１０が凹部１２に嵌め込まれていない場合は、立体１１０の向きは検出されない。つまり上を向いている面の表示は、報知音Ａ乃至報知音Ｄのいずれにも該当しない（Ｓ４，Ｓ６，Ｓ８，Ｓ１０）。かかる場合は報知音Ａを発生する（Ｓ５）。更に、いずれかの報知音を発生した後、鳴止めスイッチがＯＦＦに切替えられた時は（Ｓ２，Ｓ１２）、その報知音を停止する（Ｓ１３）。
【００１６】
以上説明した本例の立体の向き検出装置によれば、立体の各面に対応するようにＩＣタグを設ける必要はない。また、立体にバッテリを設ける必要もない。故に立体を小型化する点で有利であり、且つ立体の単価を確実に低減することができる。
【００１７】
また、本例の出力装置は、かかる検出装置を備えることにより、立体の向きに応じて実際に出力する出力パターンを決定するものである。このような構成によると、出力パターンの決定方法が非常に斬新なものとなり、より面白い出力装置を得ることができる。
【００１８】
尚、本例における各部の構成は、特許請求の範囲に記載した技術的範囲において適宜に設計変更が可能であり、図例説明したものに限定されないことは勿論である。
【産業上の利用可能性】
【００１９】
本発明は、立体の向きを検出する装置として好適に利用することが可能である。これを出力装置に用いれば、その出力装置が実際に出力する出力パターンを立体の向きに応じて決定するように構成することも可能である。
【図面の簡単な説明】
【００２０】
【図１】本発明の実施例に係り、立体の向き検出装置を用いてなる出力装置を示す斜視図であり、（ａ）は立体を筐体の凹部に嵌め込む前の状態、（ｂ）は立体を筐体の凹部に嵌め込んだ後の状態を示している。
【図２】本発明の実施例に係り、立体の向き検出装置を用いてなる出力装置の説明図である。
【図３】本発明の実施例に係り、立体を示す展開図である。
【図４】本発明の実施例に係り、傾斜センサ及びＩＣタグを示す説明図である。
【図５】本発明の実施例に係り、出力装置の制御を示すフローチャートである。
【符号の説明】
【００２１】
１    目覚し時計（出力装置）
１０    筐体
１１    時刻表示部
１２    凹部
２０    制御部
３０    計時手段
３１    指針
４０    予定時刻設定手段
４１    目安針
５０    スピーカ
６０    鳴止めスイッチ
１００    立体の向き検出装置
１１０    立体
１２０    傾斜センサ
１３０    ＩＣタグ
１３１    ＩＣチップ
１３２    アンテナ
１４０    アンテナ
【図１】
2005275554.tif 000003
【図２】
2005275554.tif 000004
【図３】
2005275554.tif 000005
【図４】
2005275554.tif 000006
【図５】
2005275554.tif 000007